(57)【要約】【課題】光学的性能を確保しつつ小型化を図る上で有利な絞り装置、光量調整装置、レンズ鏡筒および撮像装置を提供する。【解決手段】絞り装置４０は、絞り用ベース部材４２、仕切り板４４、一対の直進絞り羽根４６、一対の第１揺動絞り羽根４８、一対の第２揺動絞り羽根５０、２枚のスペーサ５２、環板５４、絞り用モータ５６、絞り用蓋体５８などを含んで構成されている。絞り用蓋体５８に絞り用ベース部材４２側に窪む凹部５８５０が設けられている。凹部５８５０が設けられる絞り用蓋体５８の箇所は、一対の直進絞り羽根４６の一方と一対の第１揺動絞り羽根４８の一方と一対の第２揺動絞り羽根５０の一方の移動軌跡の外側の箇所である。凹部５８５０に他の光学装置、またはその一部、光学部材、またはその一部を収容して配置することで光軸Ｌ方向におけるレンズ鏡筒の寸法を短縮化することができる。【選択図】図３７
2010145706.tif 000002
【特許請求の範囲】
【請求項１】
光学系の光軸方向に重ね合わされ前記光軸と直交する平面に沿って前記光軸に対して接離する方向に移動することで前記光軸を中心とする絞り用開口を形成する一対の直進絞り羽根および一対の揺動絞り羽根と、
前記一対の直進絞り羽根および一対の揺動絞り羽根を収容する収容部材と、
前記絞り羽根を移動させ前記絞り用開口の大きさを調整する絞り用駆動機構とを備え、
前記収容部材は、前記光軸方向において対向する一対の側面を有し、
前記一対の側面の一方寄りに、前記一対の直進絞り羽根の一方と一対の揺動絞り羽根の一方とが配置され、
前記一対の側面の他方寄りに、前記一対の直進絞り羽根の他方と一対の揺動絞り羽根の他方とが配置され、
前記一対の側面の一方に、前記一対の直進絞り羽根の一方と一対の揺動絞り羽根の一方の移動軌跡の外側で、かつ、前記一対の直進絞り羽根の他方と一対の揺動絞り羽根の他方との間に前記光軸方向に沿って隙間を確保した状態で、前記一対の側面の他方側に窪む凹部が設けられている、
絞り装置。
【請求項２】
前記収容部材は、絞り用ベース部材と絞り用蓋体とを含んで構成され、
前記絞り用ベース部材は、前記一対の直進絞り羽根および一対の揺動絞り羽根を収容する収容部が設けられた合成樹脂製の板状を呈し、
前記絞り用蓋体は、前記収容部に収容された前記一対の直進絞り羽根および一対の揺動絞り羽根を覆い前記ベース部材に取着される板金製の鋼板であり、
前記一対の側面の一方は、前記絞り用蓋体で構成され、
前記一対の側面の他方は、前記絞り用ベース部材で構成されている、
請求項１記載の絞り装置。
【請求項３】
光学系の光軸を中心とする絞り用開口の大きさを調整する絞り装置と、
前記絞り用開口を通る光量を低減させるＮＤフィルタ装置とを有し、
前記絞り装置は、
光学系の光軸方向に重ね合わされ前記光軸と直交する平面に沿って前記光軸に対して接離する方向に移動することで前記光軸を中心とする絞り用開口を形成する一対の直進絞り羽根および一対の揺動絞り羽根と、
前記一対の直進絞り羽根および一対の揺動絞り羽根を収容する収容部が設けられた絞り用ベース部材と、
前記収容部に収容された前記一対の直進絞り羽根および一対の揺動絞り羽根を覆う絞り用蓋体と、
前記絞り羽根を移動させ前記絞り用開口の大きさを調整する絞り用駆動機構とを有し、
前記絞り用蓋体寄りに、前記一対の直進絞り羽根の一方と一対の揺動絞り羽根の一方とが配置され、
前記絞り用ベース部材寄りに、前記一対の直進絞り羽根の他方と一対の揺動絞り羽根の他方とが配置され、
前記絞り用蓋体に、前記一対の直進絞り羽根の一方と一対の揺動絞り羽根の一方の移動軌跡の外側で、かつ、前記一対の直進絞り羽根の他方と一対の揺動絞り羽根の他方との間に前記光軸方向に沿った隙間を確保した状態で、前記絞り用ベース部材側に窪む凹部が設けられ、
前記ＮＤフィルタ装置は、
前記光軸方向から見て前記絞り用開口内に位置する使用位置と前記絞り用開口外に位置する退避位置との間で移動されるＮＤフィルタと、
前記ＮＤフィルタを収容するケースとを有し、
前記ケースは、前記絞り用蓋体に重ね合わさる側面を有し、
前記側面に、前記絞り用蓋体側に突出し前記退避位置で前記ＮＤフィルタが収容される凸部が形成され、
前記凸部は前記凹部に収容されている、
光量調整装置。
【請求項４】
絞り装置を備え、
前記絞り装置は、
光学系の光軸方向に重ね合わされ前記光軸と直交する平面に沿って前記光軸に対して接離する方向に移動することで前記光軸を中心とする絞り用開口を形成する一対の直進絞り羽根および一対の揺動絞り羽根と、
前記一対の直進絞り羽根および一対の揺動絞り羽根を収容する収容部材と、
前記絞り羽根を移動させ前記絞り用開口の大きさを調整する絞り用駆動機構とを備え、
前記収容部材は、前記光軸方向において対向する一対の側面を有し、
前記一対の側面の一方寄りに、前記一対の直進絞り羽根の一方と一対の揺動絞り羽根の一方とが配置され、
前記一対の側面の他方寄りに、前記一対の直進絞り羽根の他方と一対の揺動絞り羽根の他方とが配置され、
前記一対の側面の一方に、前記一対の直進絞り羽根の一方と一対の揺動絞り羽根の一方の移動軌跡の外側で、かつ、前記一対の直進絞り羽根の他方と一対の揺動絞り羽根の他方との間に前記光軸方向に沿って隙間を確保した状態で、前記一対の側面の他方側に窪む凹部が設けられている、
レンズ鏡筒。
【請求項５】
光学系を通過する光量を調整する光量調整装置を備え、
前記光量調整装置は、
前記光学系の光軸を中心とする絞り用開口の大きさを調整する絞り装置と、
前記絞り用開口を通る光量を低減させるＮＤフィルタ装置とを有し、
前記絞り装置は、
光学系の光軸方向に重ね合わされ前記光軸と直交する平面に沿って前記光軸に対して接離する方向に移動することで前記光軸を中心とする絞り用開口を形成する一対の直進絞り羽根および一対の揺動絞り羽根と、
前記一対の直進絞り羽根および一対の揺動絞り羽根を収容する収容部が設けられた絞り用ベース部材と、
前記収容部に収容された前記一対の直進絞り羽根および一対の揺動絞り羽根を覆う絞り用蓋体と、
前記絞り羽根を移動させ前記絞り用開口の大きさを調整する絞り用駆動機構とを有し、
前記絞り用蓋体寄りに、前記一対の直進絞り羽根の一方と一対の揺動絞り羽根の一方とが配置され、
前記絞り用ベース部材寄りに、前記一対の直進絞り羽根の他方と一対の揺動絞り羽根の他方とが配置され、
前記絞り用蓋体に、前記一対の直進絞り羽根の一方と一対の揺動絞り羽根の一方の移動軌跡の外側で、かつ、前記一対の直進絞り羽根の他方と一対の揺動絞り羽根の他方との間に前記光軸方向に沿った隙間を確保した状態で、前記絞り用ベース部材側に窪む凹部が設けられ、
前記ＮＤフィルタ装置は、
前記光軸方向から見て前記絞り用開口内に位置する使用位置と前記絞り用開口外に位置する退避位置との間で移動されるＮＤフィルタと、
前記ＮＤフィルタを収容するケースとを有し、
前記ケースは、前記絞り用蓋体に重ね合わさる側面を有し、
前記側面に、前記絞り用蓋体側に突出し前記退避位置で前記ＮＤフィルタが収容される凸部が形成され、
前記凸部は前記凹部に収容されている、
レンズ鏡筒。
【請求項６】
前記ＮＤフィルタ装置は、
前記ＮＤフィルタが取着されたフィルタ用支持体と、
前記フィルタ用支持体を前記光軸と直交する平面に沿って前記光軸に対して接離する方向に移動可能に支持するフィルタ用ベース部材と、
前記フィルタ用ベース部材に取着され前記フィルタ用ベース部材に取着された前記フィルタ用支持体を覆うフィルタ用蓋体と、
前記ＮＤフィルタが前記使用位置と前記退避位置に位置するように前記フィルタ用支持体を移動させるフィルタ用駆動機構とを備え、
前記ケースは、前記フィルタ用ベース部材と前記フィルタ用蓋体とを含んで構成され、
前記フィルタ用ベース部材は、前記光軸方向において前記絞り用蓋体から離れた箇所に配置され、
前記フィルタ用蓋体は、前記絞り用蓋体に重ね合わさるように配置され、
前記凸部は、前記フィルタ用蓋体に形成されている、
請求項５記載のレンズ鏡筒。
【請求項７】
前記フィルタ用蓋体と前記絞り用蓋体とは単一の部材により構成されている、
請求項６記載のレンズ鏡筒。
【請求項８】
前記フィルタ用蓋体は前記光軸を含む箇所に前記ＮＤフィルタよりも大きな輪郭の開口有し、
前記凸部は、光軸から離れる方向における前記開口の端部を含んで形成され、
前記ＮＤフィルタは前記使用位置で、前記光軸方向から見て前記開口の半径方向の内側かつ前記光軸と直交する方向から見て前記フィルタ用蓋体の厚さの範囲と重複する箇所に位置している、
請求項６記載のレンズ鏡筒。
【請求項９】
前記フィルタ用支持体に光路形成用の切り欠きが形成され、
前記ＮＤフィルタは前記切り欠きを覆うように前記フィルタ用支持体に重ね合わされて取着され、
前記ＮＤフィルタは前記光軸方向において前記フィルタ用支持体よりも前記フィルタ用蓋体側に偏位している、
請求項８記載のレンズ鏡筒。
【請求項１０】
絞り装置が組み込まれたレンズ鏡筒を備え、
前記絞り装置は、
光学系の光軸方向に重ね合わされ前記光軸と直交する平面に沿って前記光軸に対して接離する方向に移動することで前記光軸を中心とする絞り用開口を形成する一対の直進絞り羽根および一対の揺動絞り羽根と、
前記一対の直進絞り羽根および一対の揺動絞り羽根を収容する収容部材と、
前記絞り羽根を移動させ前記絞り用開口の大きさを調整する絞り用駆動機構とを備え、
前記収容部材は、前記光軸方向において対向する一対の側面を有し、
前記一対の側面の一方寄りに、前記一対の直進絞り羽根の一方と一対の揺動絞り羽根の一方とが配置され、
前記一対の側面の他方寄りに、前記一対の直進絞り羽根の他方と一対の揺動絞り羽根の他方とが配置され、
前記一対の側面の一方に、前記一対の直進絞り羽根の一方と一対の揺動絞り羽根の一方の移動軌跡の外側で、かつ、前記一対の直進絞り羽根の他方と一対の揺動絞り羽根の他方との間に前記光軸方向に沿って隙間を確保した状態で、前記一対の側面の他方側に窪む凹部が設けられている、
撮像装置。
【請求項１１】
光量調整装置が組み込まれたレンズ鏡筒を備え、
前記光量調整装置は、
光学系の光軸を中心とする絞り用開口の大きさを調整する絞り装置と、
前記絞り用開口を通る光量を低減させるＮＤフィルタ装置とを有し、
前記絞り装置は、
光学系の光軸方向に重ね合わされ前記光軸と直交する平面に沿って前記光軸に対して接離する方向に移動することで前記光軸を中心とする絞り用開口を形成する一対の直進絞り羽根および一対の揺動絞り羽根と、
前記一対の直進絞り羽根および一対の揺動絞り羽根を収容する収容部が設けられた絞り用ベース部材と、
前記収容部に収容された前記一対の直進絞り羽根および一対の揺動絞り羽根を覆う絞り用蓋体と、
前記絞り羽根を移動させ前記絞り用開口の大きさを調整する絞り用駆動機構とを有し、
前記絞り用蓋体寄りに、前記一対の直進絞り羽根の一方と一対の揺動絞り羽根の一方とが配置され、
前記絞り用ベース部材寄りに、前記一対の直進絞り羽根の他方と一対の揺動絞り羽根の他方とが配置され、
前記絞り用蓋体に、前記一対の直進絞り羽根の一方と一対の揺動絞り羽根の一方の移動軌跡の外側で、かつ、前記一対の直進絞り羽根の他方と一対の揺動絞り羽根の他方との間に前記光軸方向に沿った隙間を確保した状態で、前記絞り用ベース部材側に窪む凹部が設けられ、
前記ＮＤフィルタ装置は、
前記光軸方向から見て前記絞り用開口内に位置する使用位置と前記絞り用開口外に位置する退避位置との間で移動されるＮＤフィルタと、
前記ＮＤフィルタを収容するケースとを有し、
前記ケースは、前記絞り用蓋体に重ね合わさる側面を有し、
前記側面に、前記絞り用蓋体側に突出し前記退避位置で前記ＮＤフィルタが収容される凸部が形成され、
前記凸部は前記凹部に収容されている、
撮像装置。
【発明の詳細な説明】
【技術分野】
【０００１】
本発明は絞り装置、光量調整装置、レンズ鏡筒および撮像装置に関する。
【背景技術】
【０００２】
ビデオカメラやデジタルスチルカメラ等の携帯型の撮像装置、あるいは、液晶プロジェクター等の投影系光学装置には、光量調整装置が設けられている。
光量調整装置は、例えば、光学系の光軸を中心とする絞り用開口の大きさを調整する絞り装置と、絞り用開口を通る光量を低減させるＮＤフィルタ装置とを含んで構成されている。
この種の絞り装置として、絞り用開口の周囲に配置された複数枚の絞り羽根を連動して揺動させることにより絞り用開口の大きさを調整する虹彩絞りを採用したものが知られている（特許文献１参照）。
また、この種のＮＤフィルタ装置として、ＮＤフィルタを絞り用開口内に出没させるものが知られている（特許文献２参照）。
【特許文献１】特開２００４−３３３５５４
【特許文献２】特開２００１−１１７１３３
【発明の開示】
【発明が解決しようとする課題】
【０００３】
しかしながら、上述した従来の光量調整装置では、その構造上、光軸方向の寸法（厚み）を縮小することが難しい。
そのため、光軸方向において光量調整装置の前後にズームレンズあるいはフォーカスレンズなどの可動レンズが配置される場合には、次のような不都合が生じる。
すなわち、可動レンズのストロークを十分確保した場合には、光軸方向におけるレンズ鏡筒の寸法が大きなものとなることから撮像装置の小型化を図る上で不利がある。
また、光軸方向におけるレンズ鏡筒の寸法を限られた寸法に収める場合には、可動レンズのストロークを十分確保することができないためにズーム率が制約を受けるといったような光学的な性能の向上を図る上で不利がある。
本発明はこのような事情に鑑みなされたものであり、その目的は光学的性能を確保しつつ小型化を図る上で有利な絞り装置、光量調整装置、レンズ鏡筒および撮像装置を提供することにある。
【課題を解決するための手段】
【０００４】
上述の目的を達成するため、本発明の絞り装置は、光学系の光軸方向に重ね合わされ前記光軸と直交する平面に沿って前記光軸に対して接離する方向に移動することで前記光軸を中心とする絞り用開口を形成する一対の直進絞り羽根および一対の揺動絞り羽根と、前記一対の直進絞り羽根および一対の揺動絞り羽根を収容する収容部材と、前記絞り羽根を移動させ前記絞り用開口の大きさを調整する絞り用駆動機構とを備え、前記収容部材は、前記光軸方向において対向する一対の側面を有し、前記一対の側面の一方寄りに、前記一対の直進絞り羽根の一方と一対の揺動絞り羽根の一方とが配置され、前記一対の側面の他方寄りに、前記一対の直進絞り羽根の他方と一対の揺動絞り羽根の他方とが配置され、前記一対の側面の一方に、前記一対の直進絞り羽根の一方と一対の揺動絞り羽根の一方の移動軌跡の外側で、かつ、前記一対の直進絞り羽根の他方と一対の揺動絞り羽根の他方との間に前記光軸方向に沿って隙間を確保した状態で、前記一対の側面の他方側に窪む凹部が設けられている。
また本発明の光量調整装置は、光学系の光軸を中心とする絞り用開口の大きさを調整する絞り装置と、前記絞り用開口を通る光量を低減させるＮＤフィルタ装置とを有し、前記絞り装置は、光学系の光軸方向に重ね合わされ前記光軸と直交する平面に沿って前記光軸に対して接離する方向に移動することで前記光軸を中心とする絞り用開口を形成する一対の直進絞り羽根および一対の揺動絞り羽根と、前記一対の直進絞り羽根および一対の揺動絞り羽根を収容する収容部が設けられた絞り用ベース部材と、前記収容部に収容された前記一対の直進絞り羽根および一対の揺動絞り羽根を覆う絞り用蓋体と、前記絞り羽根を移動させ前記絞り用開口の大きさを調整する絞り用駆動機構とを有し、前記絞り用蓋体寄りに、前記一対の直進絞り羽根の一方と一対の揺動絞り羽根の一方とが配置され、前記絞り用ベース部材寄りに、前記一対の直進絞り羽根の他方と一対の揺動絞り羽根の他方とが配置され、前記絞り用蓋体に、前記一対の直進絞り羽根の一方と一対の揺動絞り羽根の一方の移動軌跡の外側で、かつ、前記一対の直進絞り羽根の他方と一対の揺動絞り羽根の他方との間に前記光軸方向に沿った隙間を確保した状態で、前記絞り用ベース部材側に窪む凹部が設けられ、前記ＮＤフィルタ装置は、前記光軸方向から見て前記絞り用開口内に位置する使用位置と前記絞り用開口外に位置する退避位置との間で移動されるＮＤフィルタと、前記ＮＤフィルタを収容するケースとを有し、前記ケースは、前記絞り用蓋体に重ね合わさる側面を有し、前記側面に、前記絞り用蓋体側に突出し前記退避位置で前記ＮＤフィルタが収容される凸部が形成され、前記凸部は前記凹部に収容されている。
また本発明のレンズ鏡筒は、絞り装置を備え、前記絞り装置は、光学系の光軸方向に重ね合わされ前記光軸と直交する平面に沿って前記光軸に対して接離する方向に移動することで前記光軸を中心とする絞り用開口を形成する一対の直進絞り羽根および一対の揺動絞り羽根と、前記一対の直進絞り羽根および一対の揺動絞り羽根を収容する収容部材と、前記絞り羽根を移動させ前記絞り用開口の大きさを調整する絞り用駆動機構とを備え、前記収容部材は、前記光軸方向において対向する一対の側面を有し、前記一対の側面の一方寄りに、前記一対の直進絞り羽根の一方と一対の揺動絞り羽根の一方とが配置され、前記一対の側面の他方寄りに、前記一対の直進絞り羽根の他方と一対の揺動絞り羽根の他方とが配置され、前記一対の側面の一方に、前記一対の直進絞り羽根の一方と一対の揺動絞り羽根の一方の移動軌跡の外側で、かつ、前記一対の直進絞り羽根の他方と一対の揺動絞り羽根の他方との間に前記光軸方向に沿って隙間を確保した状態で、前記一対の側面の他方側に窪む凹部が設けられている。
また本発明のレンズ鏡筒は、光学系を通過する光量を調整する光量調整装置を備え、前記光量調整装置は、前記光学系の光軸を中心とする絞り用開口の大きさを調整する絞り装置と、前記絞り用開口を通る光量を低減させるＮＤフィルタ装置とを有し、前記絞り装置は、光学系の光軸方向に重ね合わされ前記光軸と直交する平面に沿って前記光軸に対して接離する方向に移動することで前記光軸を中心とする絞り用開口を形成する一対の直進絞り羽根および一対の揺動絞り羽根と、前記一対の直進絞り羽根および一対の揺動絞り羽根を収容する収容部が設けられた絞り用ベース部材と、前記収容部に収容された前記一対の直進絞り羽根および一対の揺動絞り羽根を覆う絞り用蓋体と、前記絞り羽根を移動させ前記絞り用開口の大きさを調整する絞り用駆動機構とを有し、前記絞り用蓋体寄りに、前記一対の直進絞り羽根の一方と一対の揺動絞り羽根の一方とが配置され、前記絞り用ベース部材寄りに、前記一対の直進絞り羽根の他方と一対の揺動絞り羽根の他方とが配置され、前記絞り用蓋体に、前記一対の直進絞り羽根の一方と一対の揺動絞り羽根の一方の移動軌跡の外側で、かつ、前記一対の直進絞り羽根の他方と一対の揺動絞り羽根の他方との間に前記光軸方向に沿った隙間を確保した状態で、前記絞り用ベース部材側に窪む凹部が設けられ、前記ＮＤフィルタ装置は、前記光軸方向から見て前記絞り用開口内に位置する使用位置と前記絞り用開口外に位置する退避位置との間で移動されるＮＤフィルタと、前記ＮＤフィルタを収容するケースとを有し、前記ケースは、前記絞り用蓋体に重ね合わさる側面を有し、前記側面に、前記絞り用蓋体側に突出し前記退避位置で前記ＮＤフィルタが収容される凸部が形成され、前記凸部は前記凹部に収容されている。
また本発明の撮像装置は、絞り装置が組み込まれたレンズ鏡筒を備え、前記絞り装置は、光学系の光軸方向に重ね合わされ前記光軸と直交する平面に沿って前記光軸に対して接離する方向に移動することで前記光軸を中心とする絞り用開口を形成する一対の直進絞り羽根および一対の揺動絞り羽根と、前記一対の直進絞り羽根および一対の揺動絞り羽根を収容する収容部材と、前記絞り羽根を移動させ前記絞り用開口の大きさを調整する絞り用駆動機構とを備え、前記収容部材は、前記光軸方向において対向する一対の側面を有し、前記一対の側面の一方寄りに、前記一対の直進絞り羽根の一方と一対の揺動絞り羽根の一方とが配置され、前記一対の側面の他方寄りに、前記一対の直進絞り羽根の他方と一対の揺動絞り羽根の他方とが配置され、前記一対の側面の一方に、前記一対の直進絞り羽根の一方と一対の揺動絞り羽根の一方の移動軌跡の外側で、かつ、前記一対の直進絞り羽根の他方と一対の揺動絞り羽根の他方との間に前記光軸方向に沿って隙間を確保した状態で、前記一対の側面の他方側に窪む凹部が設けられている。
また本発明の撮像装置は、光量調整装置が組み込まれたレンズ鏡筒を備え、前記光量調整装置は、光学系の光軸を中心とする絞り用開口の大きさを調整する絞り装置と、前記絞り用開口を通る光量を低減させるＮＤフィルタ装置とを有し、前記絞り装置は、光学系の光軸方向に重ね合わされ前記光軸と直交する平面に沿って前記光軸に対して接離する方向に移動することで前記光軸を中心とする絞り用開口を形成する一対の直進絞り羽根および一対の揺動絞り羽根と、前記一対の直進絞り羽根および一対の揺動絞り羽根を収容する収容部が設けられた絞り用ベース部材と、前記収容部に収容された前記一対の直進絞り羽根および一対の揺動絞り羽根を覆う絞り用蓋体と、前記絞り羽根を移動させ前記絞り用開口の大きさを調整する絞り用駆動機構とを有し、前記絞り用蓋体寄りに、前記一対の直進絞り羽根の一方と一対の揺動絞り羽根の一方とが配置され、前記絞り用ベース部材寄りに、前記一対の直進絞り羽根の他方と一対の揺動絞り羽根の他方とが配置され、前記絞り用蓋体に、前記一対の直進絞り羽根の一方と一対の揺動絞り羽根の一方の移動軌跡の外側で、かつ、前記一対の直進絞り羽根の他方と一対の揺動絞り羽根の他方との間に前記光軸方向に沿った隙間を確保した状態で、前記絞り用ベース部材側に窪む凹部が設けられ、前記ＮＤフィルタ装置は、前記光軸方向から見て前記絞り用開口内に位置する使用位置と前記絞り用開口外に位置する退避位置との間で移動されるＮＤフィルタと、前記ＮＤフィルタを収容するケースとを有し、前記ケースは、前記絞り用蓋体に重ね合わさる側面を有し、前記側面に、前記絞り用蓋体側に突出し前記退避位置で前記ＮＤフィルタが収容される凸部が形成され、前記凸部は前記凹部に収容されている。
【発明の効果】
【０００５】
本発明によれば、絞り装置の収容部材の一方の側面に凹部が設けられているので、凹部に他の光学装置、またはその一部、光学部材、またはその一部を収容して配置することで光軸方向におけるレンズ鏡筒の寸法を短縮化することができる。したがって、撮像装置の小型化を図る上で有利となる。
あるいは、レンズ鏡筒の長さを大型化することなく、ズームレンズあるいはフォーカスレンズなどの可動レンズのストロークを大きく確保することができる。したがって、ズーム率を大きく確保でき、あるいは、焦点調整範囲を大きく確保でき、レンズ鏡筒の光学的性能の向上を図る上で有利となる。
また、可動レンズとして屈折率が比較的小さく厚みの大きな安価なレンズを使用でき、撮像装置のコストダウンを図る上で有利となる。
【発明を実施するための最良の形態】
【０００６】
（第１の実施の形態）
次に、本発明の実施の形態について図面を参照して説明する。
図１は本実施の形態の撮像装置１０の斜視図、図２は撮像装置１０のディスプレイパネル２２が開放位置に位置した状態の斜視図、図３は撮像装置１０の制御系の構成を示すブロック図である。
【０００７】
まず、図３を参照して撮像装置１０の制御系の構成について説明する。
本実施の形態では、撮像装置１０はビデオカメラであり記録媒体に対して撮影した動画、静止画、音声などのデータを記録し、また、記録媒体からそれらのデータを再生する。
本実施の形態では、記録媒体として板状または棒状の記録媒体であるメモリカード２を用いた場合について説明する。しかしながら、記録媒体として磁気記録テープ、光ディスク、ハードディスク装置などを用いてもよいことは無論であり、記録媒体として何を用いるかは任意である。
【０００８】
撮像装置１０は外装を構成する筐体１２を有し、筐体１２には撮影光学系１４が組み込まれたレンズ鏡筒１６が設けられている。
レンズ鏡筒１６の後端には撮影光学系１４によって導かれた被写体像を撮像する撮像素子１８が設けられ、レンズ鏡筒１６に後述する光量調整装置３９が組み込まれている。この光量調整装置３９は撮影光学系１４を通過する光量を調整するもので、光量調整装置３９は、絞り装置４０と、ＮＤフィルタ装置４１とを含んで構成されている。
また、撮像装置１０は、マイク２０、ディスプレイパネル２２、スピーカー２６、映像信号用増幅部１０２、映像信号処理部１０４、マイクロフォン用増幅部１０６、音声信号処理部１０８、出力用増幅部１１０、記録再生部１１２、制御部１１４を備えている。
撮像装置１０は、ディスプレイパネルドライバ１１６、バッファメモリ１１８、メモリカード用インターフェース１２０、操作部１２６、外部入出力インターフェース１２８、外部入出力端子１３０、モータ駆動部４３などをさらに含んで構成されている。
撮像素子１８で生成された撮像信号は映像信号用増幅部１０２で増幅され、映像信号処理部１０４に供給される。
映像信号処理部１０４は、撮像信号に所定の信号処理を行うことで、動画データおよび静止画データを生成し、記録再生部１１２に供給される。
マイクロフォン２０で収音された音声信号はマイクロフォン用増幅部１０６で増幅され、音声信号処理部１０８によって所定の信号処理がなされ音声データとして記録再生部１１２に供給される。
【０００９】
記録再生部１１２は、映像信号処理部１０４から供給された動画データおよび静止画データと、音声信号処理部１０８から供給された音声データとを制御部１１４の制御にしたがってメモリカード用インターフェース１２０を介してメモリカード２に記録する。
記録再生部１１２によるメモリカード２へのデータの記録は、例えば、メモリカード２に記録すべきデータをいったんバッファメモリ１１８に蓄積したのち、バッファメモリ１１８から読み出したデータをメモリカード２に書き込むことでなされる。
また、記録再生部１１２は、記録再生部１１２から供給された動画データおよび静止画データを、ディスプレイパネルドライバ１１６を介してディスプレイパネル２２に供給して画像の表示を行わせる。
また、記録再生部１１２は、メモリカード用インターフェース１２０を介してメモリカード２から供給される動画データ、静止画データを、ディスプレイパネルドライバ１１６を介してディスプレイパネル２２に供給して画像の表示を行わせる。
また、記録再生部１１２は、メモリカード用インターフェース１２０を介してメモリカード２から供給される音声信号を出力用増幅部１１０を介してスピーカー２６に供給して音声の出力を行わせる。
外部入出力インターフェース１２８は記録再生部１１２で再生された音声データおよび画像データを所定の信号形式に変換して、外部入出力端子１３０を介してテレビジョン装置、ＨＤＤレコーダー、パーソナルコンピュータなど外部機器に出力するものである。
【００１０】
操作部１２６は、図２に示す複数の操作スイッチ２４、電源スイッチ２８Ａ、静止画撮影用スイッチ２８Ｂ、ズーム用スイッチ２８Ｃ、モード切り換え用スイッチ２８Ｄ、動画撮影用スイッチ２８Ｅを備えている。
これらスイッチ２４、２８Ａ乃至２８Ｅは撮影にまつわる種々の機能を実行するための操作スイッチを構成している。
【００１１】
制御部１１４は、電源スイッチ２８Ａの操作に基づいて撮像装置１０の電源のオン、オフを行う。
制御部１１４は、静止画撮影用スイッチ２８Ｂの操作に基づいて映像信号処理部１０４および記録再生部１１２に指令を与える。これにより、制御部１１４は、映像信号処理部１０４から供給される静止画データを記録再生部１１２を介してメモリカード用インターフェース１２０に供給することで静止画データをメモリカード２に記録させる。
言い換えると、静止画撮影用スイッチ２８Ｂは、いわゆるシャッタボタンとして機能している。
【００１２】
制御部１１４は、ズーム用スイッチ２８Ｃの操作に基づいて不図示のズーム駆動部に指令を与えることにより、撮影光学系１４の可動レンズを移動させることにより、撮影光学系１４のズーム率を変化させる。
制御部１１４は、モード切り換え用スイッチ２８Ｄの操作に基づいて映像信号処理部１０４に指令を与える。これにより、制御部１１４は、映像信号処理部１０４によって動画データを生成させる動画撮影モードと、映像信号処理部１０４によって静止画データを生成させる静止画撮影モードとを切り換える。
なお、動画撮影モードでは、映像信号処理部１０４で生成された動画データが記録再生部１１２を介してメモリカード２に記録される。また、静止画撮影モードでは、映像信号処理部１０４で生成されたで生成された静止画データが記録再生部１１２を介してメモリカード２に記録される。
【００１３】
制御部１１４は、動画撮影用スイッチ２８Ｅの操作に基づいて動画データの記録の開始、記録の停止を行わせる。
すなわち、制御部１１４は、動画撮影用スイッチ２８Ｅの操作に基づいて映像信号処理部１０４および記録再生部１１２に指令を与える。これにより、制御部１１４は、映像信号処理部１０４からに供給される動画データを記録再生部１１２を介してメモリカード用インターフェース１２０に供給する。この結果、制御部１１４は、動画データをメモリカード２に記録させる動作を開始させ、あるいは、その動作を停止させる。
言い換えると、動画撮影用スイッチ２８Ｅは、いわゆる撮影スタート／ストップの操作部材として機能している。
【００１４】
また、パネル側動画撮影用スイッチ３０Ａ、パネル側ズーム用スイッチ３０Ｂ、メニュー操作用スイッチ３０Ｃは制御部１１４に接続されている。
パネル側動画撮影用スイッチ３０Ａは動画撮影用スイッチ２８Ｅと同様の機能を有している。
パネル側ズーム用スイッチ３０Ｂはズーム用スイッチ２８Ｃと同様の機能を有している。
また、メニュー操作用スイッチ３０Ｃは、ディスプレイパネル２２に表示されるメニューの階層を最上位の階層に直接戻すために操作されるスイッチである。
モータ駆動部４３は、制御部１１４の制御に基づいて後述する絞り装置４０の絞り用モータ５６（図４）とＮＤフィルタ装置４１のフィルタ用モータ８４の駆動制御を行うものである。
【００１５】
次に撮像装置１０の構成について説明する。
図１、図２に示すように、筐体１２は、左右方向の幅よりも大きな寸法の前後方向の長さおよび上下方向の高さを有している。なお、本明細書において左右は、撮像装置１０を後方から見た状態でいうものとし、また、光学系の光軸方向で被写体側を前方といい、撮像素子側を後方という。
レンズ鏡筒１６は、筐体１２の上部の前部で前後に延在し、その前部が筐体１２の前面に臨むように設けられている。したがって、被写体像は筐体１２の前部から筐体１２の内部に導かれる。
撮像素子１８（図３）はレンズ鏡筒１６の後端に設けられている。
マイクロフォン２０はレンズ鏡筒１６の上面に設けられている。
【００１６】
ディスプレイパネル２２は、筐体１２の左側部に開閉可能に設けられている。
ディスプレイパネル２２は、ディスプレイ装置３２とパネル用ケース３４とを備え、長方形板状を呈している。
図２に示すように、ディスプレイ装置３２は、撮像素子１８によって撮像された被写体像などを表示するものである。
ディスプレイ装置３２は、画像を表示する長方形の表示面３２０２を有し、この表示面３２０２はディスプレイパネル２２の内面を構成している。
本実施の形態では、ディスプレイ装置３２は液晶ディスプレイ装置で構成されているが、ディスプレイ装置３２の種類は任意であり、例えば、有機ＥＬディスプレイ装置であってもよい。
【００１７】
ディスプレイパネル２２は、その一方の短辺寄りの箇所がヒンジ２２０２を介して筐体１２の左側部の前部寄りの箇所に連結されている。
これにより、ディスプレイパネル２２は、筐体１２の上下方向に延在する第１の軸線Ｏ１回りに揺動可能に、かつ、第１の軸線Ｏ１と直交する第２の軸線Ｏ２回りに揺動可能に連結されている。
本実施の形態では、ディスプレイパネル２２は、図１に示す収容位置と、図２に示すよ開放位置との間で揺動するように構成されている。
すなわち、図１の収容位置では、ディスプレイパネル２２は、第１の軸線Ｏ１回りで、ディスプレイ装置３２の表示面３２０２（パネル２２の内面）が筐体１２の左側面１２Ａに重ね合わされている。
また、図２の開放位置では、ディスプレイパネル２２は、収容位置から９０度開かれディスプレイ装置３２の表示面３２０２が後方を向いている。
なお、表示面３２０２（パネル２２の内面）を筐体１２の左側面１２Ａに重ね合わせた収容位置においてディスプレイパネル２２の外面２２１０（図１）が外方に向けられる。
また、ディスプレイパネル２２は、前記開放位置において第２の軸線Ｏ２回りに、ディスプレイ装置３２の表示面３２０２が前方を向いた位置と、下方を向いた位置との間で２７０度の範囲で揺動するように構成されている。
【００１８】
図２に示すように、筐体１２の左側面１２Ａには、種々の操作を行うための複数の操作スイッチ２４、スピーカー２６などが設けられている。
筐体１２の上部の後部寄りの箇所には、電源スイッチ２８Ａ、静止画撮影用スイッチ２８Ｂ、ズーム用スイッチ２８Ｃ、モード切り換え用スイッチ２８Ｄなどが設けられている。
また、筐体１２の後面には、動画撮影用スイッチ２８Ｅが設けられている。
また、ディスプレイパネル２２には、パネル側動画撮影用スイッチ３０Ａ、パネル側ズーム用スイッチ３０Ｂ、メニュー操作用スイッチ３０Ｃなどが設けられている。
【００１９】
図２に示すように、筐体１２の左側面１２Ａの下部に、メモリカード２が挿脱されるスロット３６とスロット３６の開口３６０２を開閉する蓋体３８が設けられている。
メモリカード２はスロット３６に挿入されることで、メモリカード２の接続端子がスロット３６内部のコネクタ（不図示）に電気的に接続される。これにより、メモリカード２は、コネクタを介してメモリカード用インターフェース１２０との間で信号の授受を行う。
【００２０】
光量調整装置３９は、絞り装置４０とＮＤフィルタ装置４１を含んで構成され、それら絞り装置４０とＮＤフィルタ装置４１はレンズ鏡筒に組み込まれている。
図４乃至図２６を参照して絞り装置４０から説明する。
図４は前方から見た絞り装置４０の分解斜視図、図５は後方から見た絞り装置４０の分解斜視図である。
図６はベース部材４２に対する絞り用モータ５６の組み立て説明図、図７はベース部材４２に絞り用モータ５６と環板５４とが組み込まれた状態を示す平面図である。
図８はベース部材４２に対する環板５４と固定絞り７０と仕切り板４４の組み立て説明図、図９は仕切り板４４、絞り用蓋体５８、各絞り羽根４６、４８、５０およびスペーサ５２を示す分解斜視図である。
図１０は仕切り板４４を後方から見た斜視図、図１１は絞り用蓋体５８を前方から見た斜視図である。
図１２は絞り用開口２が開放状態にある絞り装置４０を後方から見た平面図である。
図１３は絞り用開口２を１段絞った状態の絞り装置４０を後方から見た平面図である。
図１４は絞り用開口２を６段絞った状態の絞り装置４０を後方から見た平面図である。
図１５は絞り用開口２が全閉状態にある絞り装置４０を後方から見た平面図である。
【００２１】
図３、図１２に示すように、絞り装置４０は、撮影光学系１４を介して撮像素子１８に導かれる光線束を制限する絞り用開口２の大きさを調整することで、撮像素子１８に導かれる光量の調整を行うものである。
絞り装置４０は、撮像素子１８の前方に配置されている。
本実施の形態では、絞り装置４０は、絞り用ベース部材４２、仕切り板４４、一対の直進絞り羽根４６、一対の第１揺動絞り羽根４８、一対の第２揺動絞り羽根５０、２枚のスペーサ５２、環板５４、絞り用モータ５６、絞り用蓋体５８などを含んで構成されている。
本実施の形態では、一対の直進絞り羽根４６と一対の第１揺動絞り羽根４８と一対の第２揺動絞り羽根５０とを収容する収容部材が、絞り用ベース部材４２と絞り用蓋体５８とで構成されている。
【００２２】
絞り用ベース部材４２は光を透過しない合成樹脂製で長方形板状を呈し、その長辺方向を筐体１２の上下に向けた状態でレンズ鏡筒１６に組み込まれている。
絞り用ベース部材４２は、図４、図５に示すように、前方に臨む前面４２Ａと後方に臨む後面４２Ｂとを有し、絞り用ベース部材４２には撮影光学系１４の光軸Ｌを中心とした円形の光路用孔４２Ｃが形成されている。
絞り用ベース部材４２の後面４２Ｂには、図５に示すように、仕切り板４４と、一対の直進絞り羽根４６と、一対の第１揺動絞り羽根４８と、一対の第２揺動絞り羽根５０と、２枚のスペーサ５２と、環板５４とを収容する凹状の収容部６０が設けられている。
また、後面４２には、図７に示すように、２つの直進絞り羽根４６をそれぞれスライド可能に案内する直進絞り羽根用ガイドピン６２が１つの直進絞り羽根４６について２つずつ設けられている。それら直進絞り羽根用ガイドピン６２は光路用孔４２Ｃの周囲近傍に設けられている。
また、後面４２Ｂには、図７に示すように、一対の第１揺動絞り羽根４８をそれぞれ揺動可能に支持する第１揺動絞り羽根用支軸６４がそれぞれ設けられている。また、後面４２Ｂには、一対の第２揺動絞り羽根５０をそれぞれ揺動可能に支持する第２揺動絞り羽根用支軸６６がそれぞれ設けられている。
凹状の収容部６０の底部で光路用孔４２Ｃの周囲には、図６に示すように、環板５４を収容すると共に、環板５４を回転可能に支持する円形の凹部６８が形成されている。
凹部６８には、図７、図８に示すように、後述する環板５４の突片５４Ｃおよびギア部５５が移動するための扇状凹部６８Ａ、６８Ｂが凹部６８の半径方向外側に突出しかつ凹部６８の周方向に延在形成されている。
【００２３】
環板５４は光を透過しない合成樹脂製で、図５、図７に示すように、環板状の環板部５４Ａを有し、環板部５４Ａの中心には光路用孔５４Ｂが形成されている。
環板部５４Ａの外周の一部に、突片５４Ｃが設けられている。
また、環板部５４Ａの外周の一部で、突片５４Ｃに対して１８０度の間隔をおいた箇所にギア部５５が設けられ、ギア部５５は、環板５４の中心軸を中心とする扇状に形成されている。
環板部５４Ａが厚さ方向の他方に臨む面（後方に臨む面）には、２つの直進絞り羽根用駆動ピン５４Ｄと、２つの第１揺動絞り羽根用駆動ピン５４Ｅとが設けられている。
突片５４Ｃが厚さ方向の他方に臨む面（後方に臨む面）とギア部５５が厚さ方向の他方に臨む面（後方に臨む面）とには、第２揺動絞り羽根用駆動ピン５４Ｆがそれぞれ１つずつ突設されている。
２つの直進絞り羽根用駆動ピン５４Ｄは、環板５４の中心軸を中心に１８０度の間隔をおいて設けられている。
２つの第１揺動絞り羽根用駆動ピン５４Ｅは、環板５４の中心軸を中心に１８０度の間隔をおいて設けられている。
２つの第２揺動絞り羽根用駆動ピン５４Ｆは、環板５４の中心軸を中心に１８０度の間隔をおいて設けられている。
【００２４】
絞り用モータ５６は、図６に示すように、ケース５６Ａと、取り付け片５６Ｂと、駆動ギア５６Ｃとを有し、モータ駆動部４３（図３）から供給される駆動電流に基づいて駆動ギア５６Ｃが正方向あるいは逆方向に回転駆動される。
ケース５６Ａは取り付け片５６Ｂを介してベース４２の前面４２Ａに取着されている。
駆動ギア５６Ｃはケース５６Ａの一端から突出する駆動軸に固定されている。
図７に示すように、駆動ギア５６Ｃは、ベース４２に設けられた開口４２０２を介してベース４２の後面４２Ｂに臨み、環板５４のギア部５５に噛合している。
絞り用モータ５６が正逆方向に回転駆動することにより、駆動ギア５６Ｃおよびギア部５５を介して環板５４が該環板５４の中心軸を中心として時計回り、反時計回りに揺動される。
【００２５】
図５において、符号７０は環板５４と仕切り板４４との間に設けられる固定絞りである。
固定絞り７０は、光を透過しない合成樹脂製で薄板状に形成されている。
図８に示すように、固定絞り７０の中央には、絞り用開口２の最大径を決定する正円状の孔７０Ａが形成されている。
固定絞り７０には、２つの直進絞り羽根用駆動ピン５４Ｄと、２つの第１揺動絞り羽根用駆動ピン５４Ｅとが挿通される逃げ溝７０Ｂが光軸Ｌの周方向に延在して２つ設けられている。
さらに、固定絞り７０には、４つの直進絞り羽根用ガイドピン６２が挿通される挿通孔７０Ｃが形成されている。
固定絞り７０は、各挿通孔７０Ｃに直進絞り羽根用ガイドピン６２が挿通されることで光軸Ｌと直交する面内で移動不能とされる。
【００２６】
仕切り板４４は、図４、図５に示すように、環板５４と複数の絞り羽根４６、４８、５０との間に設けられ、環板５４と複数の絞り羽根４６、４８、５０とを隔てるものである。
仕切り板４４は、矩形状を呈する板金製の鋼板で形成され、絞り用ベース部材４２に取り付けられた状態で絞り用開口２を光軸Ｌ方向に露出させる光路用孔４４Ａが形成されている。
光路用孔４４Ａは固定絞り７０の孔７０Ａと同一またはそれ以上の直径を有している。
【００２７】
図５、図１０に示すように、仕切り板４４には、第１の挿通部４４０２、第２の挿通部４４０４と、第１のレール４４１０、第２のレール４４１２、第３のレール４４１４、第４のレール４４１６、第５のレール４４１８とが形成されている。
【００２８】
第１の挿通部４４０２は、２つの直進絞り羽根用駆動ピン５４Ｄと２つの第１揺動絞り羽根用駆動ピン５４Ｅが遊嵌されるものであり、光軸Ｌの周方向に延在して２つ形成されている。２つの直進絞り羽根用駆動ピン５４Ｄと２つの第１揺動絞り羽根用駆動ピン５４Ｅは第１の挿通部４４０２内において仕切り板４４に干渉されずに揺動する。
第２の挿通部４４０４は、２つの第２揺動絞り羽根用駆動ピン５４Ｆが遊嵌されるものであり、光軸Ｌの周方向に延在して２つ形成されている。２つの第２揺動絞り羽根用駆動ピン５４Ｆは、第２の挿通部４４０４内において仕切り板４４に干渉されずに揺動する。
【００２９】
第１のレール４４１０は、一対の直進絞り羽根４６のうち仕切り板４４寄りに配置される直進絞り羽根４６の移動を案内するものであり、本実施の形態では、直進絞り羽根４６の移動方向に沿って（上下方向に沿って）直線状に延在して４つ設けられている。
第２のレール４４１２は、一対の第２揺動絞り羽根５０のうち仕切り板４４寄りに配置される第２揺動絞り羽根５０の移動を案内するものであり、本実施の形態では、第２揺動絞り羽根５０の移動方向に沿って円弧状に延在して２つ設けられている。
第３のレール４４１４は、一対の直進絞り羽根４６のうち絞り用蓋体５８寄りに配置される直進絞り羽根４６の移動を案内するものであり、本実施の形態では、直進絞り羽根４６の移動方向に沿って（上下方向に沿って）直線状に延在して３つ設けられている。
【００３０】
第４のレール４４１６は、一対のスペーサ５２のうち仕切り板４４の幅方向の一方に配置されるスペーサ５２に当接するものである。本実施の形態では、第４のレール４４１６は、スペーサ５２の延在方向に沿って（上下方向に沿って）直線状に延在して２つ設けられている。
第５のレール４４１８は、一対のスペーサ５２のうち仕切り板４４の幅方向の他方に配置されるスペーサ５２に当接するものである。本実施の形態では、第５のレール４４１８は、スペーサ５２の延在方向に沿って（上下方向に沿って）直線状に延在して１つ設けられている。
【００３１】
図１０において、符号４４２０は仕切り板４４に形成され、４つの直進絞り羽根用ガイドピン６２がそれぞれ遊嵌される切り欠きを示している。
また、符号４４２２は仕切り板４４に形成され、２つの第１揺動絞り羽根用支軸６４がそれぞれ挿通される挿通孔を示している。
また、符号４４２４は仕切り板４４に形成され、２つの第２揺動絞り羽根用支軸６６がそれぞれ挿通される挿通孔を示している。
これら２つの第１揺動絞り羽根用支軸６４と２つの第２揺動絞り羽根用支軸６６とがそれぞれ挿通穴４４２２、４４２４に挿通されることで、仕切り板４４は光軸Ｌと直交する面内で移動不能とされる。
また、符号４４２６は仕切り板４４に形成され、仕切り板４４を絞り用ベース部材４２に係合させる係合爪を示し、本実施の形態では、係合爪４４２６は、仕切り板４４の長手方向の一方（上側）の縁部に１つ、他方（下側）の縁部に２つ設けられている。
【００３２】
図２１は直進絞り羽根４６の平面図である。
直進絞り羽根４６は光を透過しない合成樹脂製で薄板状を呈し、直線部と、該直線部に続く湾曲部とで構成されている。
直線部には、２つの直線状案内溝４６０２と、カム溝４６０４が形成され、湾曲部には、開口形成用縁部４６Aが形成されている。
２つの直線状案内溝４６０２は、該直進絞り羽根４６を直進移動可能に案内するものであり、板部４６Ａの直線部に沿った同一直線上に延在形成されている。
カム溝４６０４は２つの直線状案内溝４６０２の間の箇所で前記直線と直交する方向に延在形成されている。
開口形成用縁部４６Ａは、絞り装置４０の絞り用開口２を形成するものであり、板部４６Ａの湾曲部に沿って凹状の半円弧状に延在形成されている。
【００３３】
図２２は第１揺動絞り羽根４８の平面図である。
第１揺動絞り羽根４８は光を透過しない合成樹脂製で薄板状を呈し細長形状を呈している。
第１揺動絞り羽根４８には、孔４８０２と、カム溝４８０４と、開口形成用縁部４８Ａが設けられている。
孔４８０２は、第１揺動絞り羽根４８の長手方向の一端に形成されている。
カム溝４８０４は、第１揺動絞り羽根４８の長手方向の中間部に延在形成されている。
開口形成用縁部４８Ａは、絞り装置４０の絞り用開口２を形成するものであり、第１揺動絞り羽根４８の長手方向の他端寄りの幅方向の一側に沿って凹状の円弧状に延在形成されている。
【００３４】
図２３は第２揺動絞り羽根５０の平面図である。
第２揺動絞り羽根５０は光を透過しない合成樹脂製で薄板状を呈し、長手方向の両端に至るに従ってその幅が次第に狭くなる形状を呈している。
第２揺動絞り羽根５０には、孔５００２と、カム溝５００４と、開口形成用縁部５０Ａが設けられている。
孔５００２は、板部５０Ａの長手方向の一端に形成されている。
カム溝５００４は、板部５０Ａの長手方向の中間部に延在形成される。
開口形成用縁部５０Ａは、絞り装置４０の絞り用開口２を形成するものであり、第２揺動絞り羽根５０の長手方向の他端寄りの幅方向の一側に沿って凹状の円弧状に延在形成されている。
【００３５】
図２４はスペーサ５２の平面図である。
スペーサ５２は光を透過しない合成樹脂製で薄板状を呈し細長形状を呈している。
スペーサ５２は長手方向に間隔をおいて２つの取付孔５２０２が形成されている。
【００３６】
絞り用蓋体５８は、絞り用ベース部材４２に取着され収容部６０に収容した複数の絞り羽根４６、４８、５０、スペーサ５２、固定絞り７０、環板５４を覆うものであり、それら部材を絞り用ベース部材４２に脱落不能に保持している。
絞り用蓋体５８は、板金製の矩形状の薄い鋼板からなる。
絞り用蓋体５８には、絞り用ベース部材４２に取り付けられた状態で絞り用開口２を光軸Ｌ方向に露出させる光路用孔５８Ａが形成されている。
光路用孔５８Ａは固定絞り７０の孔７０Ａと同一またはそれ以上の直径を有している。
【００３７】
図５、図１１に示すように、絞り用蓋体５８には、第３の挿通部５８０２、第４の挿通部５８０４と、第６のレール５８１０、第７のレール５８１２、第８のレール５８１４、第９のレール５８１６、第１０のレール５８１８とが形成されている。
【００３８】
第３の挿通部５８０２は、２つの直進絞り羽根用駆動ピン５４Ｄと２つの第１揺動絞り羽根用駆動ピン５４Ｅが遊嵌されるものであり、光軸Ｌの周方向に延在して２つ形成されている。
第４の挿通部５８０４は、２つの第２揺動絞り羽根用駆動ピン５４Ｆが遊嵌されるものであり、光軸Ｌの周方向に延在して２つ形成されている。
【００３９】
第６のレール５８１０は、一対の直進絞り羽根４６のうち絞り用蓋体５８寄りに配置される直進絞り羽根４６の移動を案内するものであり、本実施の形態では、直進絞り羽根４６の移動方向に沿って（上下方向に沿って）直線状に延在して４つ設けられている。
第７のレール５８１２は、一対の第２揺動絞り羽根５０のうち絞り用蓋体５８寄りに第２揺動絞り羽根５０の移動を案内するおのであり、本実施の形態では、第２揺動絞り羽根５０の移動方向に沿って円弧状に延在して２つ設けられている。
第８のレール５８１４は、一対の直進絞り羽根４６のうち仕切り板４４寄りに配置される直進絞り羽根４６の移動を案内するものであり、本実施の形態では、直進絞り羽根４６の移動方向に沿って（上下方向に沿って）直線状に延在して３つ設けられている。
【００４０】
第９のレール５８１６は、一対のスペーサ５２のうち仕切り板４４の幅方向の一方に配置されるスペーサ５２に当接するものである。本実施の形態では、第９のレール５８１６は、スペーサ５２の延在方向に沿って（上下方向に沿って）直線状に延在して１つ設けられている。
第１０のレール５８１８は、一対のスペーサ５２のうち仕切り板４４の幅方向の他方に配置されるスペーサ５２に当接するものである。本実施の形態では、第１０のレール５８１８は、スペーサ５２の延在方向に沿って（上下方向に沿って）直線状に延在して２つ設けられている。
したがって、本実施の形態では、仕切り板４４の幅方向の一方に配置されるスペーサ５２は、第４のレール４４１６と第９のレール５８１６により光軸Ｌ方向において挟まれ、光軸Ｌ方向の位置決めがなされている。
また、本実施の形態では、仕切り板４４の幅方向の他方に配置されるスペーサ５２は、第５のレール４４１８と第１０のレール５８１８により光軸Ｌ方向において挟まれ、光軸Ｌ方向の位置決めがなされている。
【００４１】
図１１において、符号５８２０は４つの直進絞り羽根用ガイドピン６２がそれぞれ挿通される挿通孔を示している。
また、符号５８２２は絞り用蓋体５８に形成され、２つの第１揺動絞り羽根用支軸６４がそれぞれ挿通される挿通孔を示している。
また、符号５８２４は絞り用蓋体５８に形成され、２つの第２揺動絞り羽根用支軸６６がそれぞれ挿通される挿通孔を示している。
これら２つの第１揺動絞り羽根用支軸６４と２つの第２揺動絞り羽根用支軸６６とがそれぞれ挿通穴５８２２、５８２４に挿通されることで、絞り用蓋体５８は光軸Ｌと直交する面内で移動不能とされる。
また、符号５８２６は絞り用蓋体５８に形成され、絞り用蓋体５８を絞り用ベース部材４２に係合させる係合爪を示し、本実施の形態では、係合爪５８２６は、絞り用蓋体５８の長手方向の一方（上側）の縁部に２つ、他方（下側）の縁部に１つ設けられている。
【００４２】
後述するように、絞り用蓋体５８寄りに、一対の直進絞り羽根４６の一方と一対の第１揺動絞り羽根４８の一方と一対の第２揺動絞り羽根５０の一方とが配置される。
また、絞り用ベース部材４２寄りに、一対の直進絞り羽根４６の他方と一対の第１揺動絞り羽根４８の他方と一対の第２揺動絞り羽根５０の他方とが配置される。
そして、一対の直進絞り羽根４６の一方と一対の第１揺動絞り羽根４８の一方と一対の第２揺動絞り羽根５０の一方は、絞り装置４０のほぼ上半部の領域で移動する。
また、一対の直進絞り羽根４６の他方と一対の第１揺動絞り羽根４８の他方と一対の第２揺動絞り羽根５０の他方は、絞り装置４０のほぼ下半部の領域で移動する。
すなわち、一対の直進絞り羽根４６の一方と一対の第１揺動絞り羽根４８の一方と一対の第２揺動絞り羽根５０の一方は、光軸Ｌと直交する仮想線で絞り装置４０を２分した場合に、２分された領域のほぼ一方の領域で移動する。
また、一対の直進絞り羽根４６の他方と一対の第１揺動絞り羽根４８の他方と一対の第２揺動絞り羽根５０の他方は、光軸Ｌと直交する仮想線で絞り装置４０を２分した場合に、２分された領域のほぼ他方の領域で移動する。
【００４３】
絞り用蓋体５８に絞り用ベース部材４２側に窪む凹部５８５０（図３２、図３５）が設けられている。
凹部５８５０が設けられる絞り用蓋体５８の箇所は、一対の直進絞り羽根４６の一方と一対の第１揺動絞り羽根４８の一方と一対の第２揺動絞り羽根５０の一方の移動軌跡の外側の箇所である。
本実施の形態では、凹部５８５０は、図３２に斜線で示すように、絞り用蓋体５８の下半部で左右方向の中央部分の領域に設けられる。
さらに、凹部５８５０の深さは、一対の直進絞り羽根４６の他方と一対の第１揺動絞り羽根４８の他方と一対の第２揺動絞り羽根５０の他方との間に光軸方向に沿って隙間を確保する寸法で形成されている。
なお、本実施の形態では、絞り用ベース部材４２と絞り用蓋体５８とからなる収容部材は、光軸Ｌ方向において対向する一対の側面を有し、一対の側面の一方は絞り用蓋体５８で構成され、一対の側面の他方は絞り用ベース部材４２で構成されている。そして、凹部５８５０が一対の側面の一方である絞り用蓋体５８に形成されていることになる。
【００４４】
次に、絞り装置４０の組み付けについて説明する。
図４、図５に示すように、まず、環板５４の直進絞り羽根用駆動ピン５４Ｄ、第１揺動絞り羽根用駆動ピン５４Ｅ、第２揺動絞り羽根用駆動ピン５４Ｆを後方に向けた状態で環板５４を絞り用ベース部材４２の凹部６８に収容する。
次いで、固定絞り７０の逃げ溝７０Ｂに、各駆動ピン５４Ｄ、５４Ｅを挿通させ、挿通孔７０Ｃに、各直進絞り羽根用ガイドピン６２を挿通させることで固定絞り７０を環板部５４を挟んで絞り用ベース部材４２に取着する。
【００４５】
次に、仕切り板４４を絞り用ベース部材４２に組み付ける。
すなわち、仕切り板４４の各レール４４１０、４４１２、４４１４、４４１６、４４１８を後方に向け、第１の挿通部４４０２に直進絞り羽根用駆動ピン５４Ｄと第１揺動絞り羽根用駆動ピン５４Ｅを挿通させる。これと共に、第２の挿通部４４０４に各第２揺動絞り羽根用駆動ピン５４Ｆを挿通させる。
またこれと共に、挿通孔４４２２、４４２４に第１揺動絞り羽根用支軸６４、第２揺動絞り羽根用支軸６６をそれぞれ挿通させる。
そして、係合爪４４２６を絞り用ベース部材４２に係合させることにより、仕切り板４４を固定絞り７０および環板部５４を挟んで絞り用ベース部材４２に取着する。
【００４６】
次に、一対の直進絞り羽根４６の一方と、一対の第１揺動絞り羽根４８の一方と、一対の第２揺動絞り羽根５０の一方と、２枚のスペーサ５２の一方とを絞り用ベース部材４２に組み付ける。
すなわち、図５に示すように、一対の第２揺動絞り羽根５０のうち一方の第２揺動絞り羽根５０を絞り用ベース部材４２の後面４２Ｂに臨ませつつ、第２揺動絞り羽根５０の孔５００２に一方の第２揺動絞り羽根用支軸６６を挿通する。これと共に、一方の第２揺動絞り羽根５０のカム溝５００４に一方の第２揺動絞り羽根用駆動ピン５４Ｆを挿通する。
次いで、一対の第１揺動絞り羽根４８のうち一方の第１揺動絞り羽根４８を一方の第２揺動絞り羽根５０の上に重ね合わせるように、一方の第１揺動絞り羽根４８の孔４８０２に一方の第１揺動絞り羽根用支軸６４を挿通する。これと共に、一方の第１揺動絞り羽根４８のカム溝４８０４に一方の第１揺動絞り羽根用駆動ピン５４Ｅを挿通する。
次いで、一対の直進絞り羽根４６のうち一方の直進絞り羽根４６を、一方の第１、第２揺動絞り羽根４８、５０の上に重ね合わせるように、一方の直進絞り羽根４６の２つの直線状案内溝４６０２に一方の直進絞り羽根用ガイドピン６２をそれぞれ挿通する。これと共に、一方の直進絞り羽根４６のカム溝４６０４に一方の直進絞り羽根用駆動ピン５４Ｄを挿通する。
次いで、２枚のスペーサ５２のうち一方のスペーサ５２を一方の直進絞り羽根４６の上に重ね合わせるように、一方のスペーサ５２の２つの取付孔５２０２に一方の２つの直進絞り羽根用ガイドピン６２をそれぞれ挿通する。
【００４７】
次に、一対の直進絞り羽根４６の他方と、一対の第１揺動絞り羽根４８の他方と、一対の第２揺動絞り羽根５０の他方と、２枚のスペーサ５２の他方とを絞り用ベース部材４２に組み付ける。
すなわち、２枚のスペーサ５２のうち他方のスペーサ５２を一方の第１揺動絞り羽根４８の上に重ね合わせるように、他方のスペーサ５２の２つの取付孔５２０２に他方の２つの直進絞り羽根用ガイドピン６２をそれぞれ挿通する。
次いで、一対の直進絞り羽根４６のうち他方の直進絞り羽根４６を、２枚のスペーサ５２の上に重ね合わせるように、他方の直進絞り羽根４６の２つの直線状案内溝４６０２に他方の直進絞り羽根用ガイドピン６２をそれぞれ挿通する。これと共に、他方の直進絞り羽根４６のカム溝４６０４に他方の直進絞り羽根用駆動ピン５４Ｄを挿通する。
次いで、一対の第１揺動絞り羽根４８のうち他方の第１揺動絞り羽根４８を他方の直進絞り羽根４６の上に重ね合わせるように、他方の第１揺動絞り羽根４８の孔４８０２に他方の第１揺動絞り羽根用支軸６４を挿通する。これと共に、他方の第１揺動絞り羽根４８のカム溝４８０４に他方の第１揺動絞り羽根用駆動ピン５４Ｅを挿通する。
次いで、一対の第２揺動絞り羽根５０のうち他方の第２揺動絞り羽根５０を他方の直進絞り羽根４６および他方の第１揺動絞り羽根４８の上に重ね合わせるように、他方の第２揺動絞り羽根５０の孔５００２に他方の第２揺動絞り羽根用支軸６６を挿通する。これと共に、他方の第２揺動絞り羽根５０のカム溝５００４に他方の第２揺動絞り羽根用駆動ピン５４Ｆを挿通する。
【００４８】
このようにして、図３１に示すように、一対の直進絞り羽根４６と、一対の第１揺動絞り羽根４８と、一対の第２揺動絞り羽根５０と、２枚のスペーサ５２が孔４２Ｃの周囲に配置される。そして、それら羽根４６、４８、５０、スペーサ５２と絞り用ベース部材４２とにより仕切り板４４、固定絞り７０、環板５４が挟まれる。
【００４９】
最後に、図４、図５に示すように、絞り用蓋体５８を、絞り用ベース部材４２の後方から絞り用ベース部材４２に取り付ける。
すなわち、絞り用蓋体５８の各レール５８１０、５８１２、５８１４、５８１６、５８１８を前方に向け、第３の挿通部５８０２に直進絞り羽根用駆動ピン５４Ｄと第１揺動絞り羽根用駆動ピン５４Ｅを挿通させる。これと共に、第４の挿通部５８０４に各第２揺動絞り羽根用駆動ピン５４Ｆを挿通させる。
またこれと共に、挿通孔５８２２、５８２４に第１揺動絞り羽根用支軸６４、第２揺動絞り羽根用支軸６６をそれぞれ挿通させる。
そして、係合爪５８２６を絞り用ベース部材４２に係合させる。
これにより収容部６０に収容され絞り用ベース部材４２に組み付けられた環板５４、固定絞り７０、仕切り板４４、一対の直進絞り羽根４６、一対の第１揺動絞り羽根４８、一対の第２揺動絞り羽根５０、２枚のスペーサ５２が絞り用蓋体５８によって覆われる。
また、図３２、図３５に示すように、絞り用蓋体５８の凹部５８５０が光軸Ｌよりも下方に配置される。
【００５０】
したがって、仕切り板４４上に、一方の第２揺動絞り羽根５０、一方の第１揺動絞り羽根４８、一方の直進絞り羽根４６、他方の直進絞り羽根４６、他方の第１揺動絞り羽根４８、他方の第２揺動絞り羽根５０がこれらの順番に重ね合わされた状態となる。
また、これと共に、一方のスペーサ５２が一方の直進絞り羽根４６と他方の第１揺動絞り羽根４８との間に介在され、他方のスペーサ５２が一方の第１揺動絞り羽根４８と他方の直進絞り羽根４６との間に介在された状態となる。
また、２組の各一対の揺動絞り羽根４６、４８のうちの一方の揺動絞り羽根４６、４８は、一対の直進絞り羽根４６が光軸方向に臨む両面のうちの一方の面である前面側に配置される。
また、２組の各一対の揺動絞り羽根４６、４８のうちの他方の揺動絞り羽根４６、４８は、一対の直進絞り羽根４６が光軸方向に臨む両面のうちの他方の面である後面側に配置されることになる。
また、一対の直進絞り羽根４６は、絞り用開口２の対向する箇所に光軸Ｌと直交する平面に沿って光軸Ｌに対して接離する方向に直線移動可能に設けられることになる。
また、一対の第１揺動絞り羽根４８は、絞り用開口２の対向する箇所に光軸Ｌと平行する軸心を中心として光軸Ｌに対して接離する方向に揺動可能に設けられることになる。
また、一対の第２揺動絞り羽根５０は、絞り用開口２の対向する箇所に光軸Ｌと平行する軸心を中心として光軸Ｌに対して接離する方向に揺動可能に設けられることになる。
【００５１】
また、直進絞り羽根４６を直線移動させると共に第１、第２揺動絞り羽根４８、５０を揺動させることで絞り用開口２の大きさを調整する絞り用駆動機構が、絞り用モータ５６と、駆動ギア５６Ｃと、ギア部５５と、環板５４とを含んで構成されている。
また、図１２乃至図１５に示すように、直進絞り羽根４６の開口形成用縁部４４Ａにより、直進絞り羽根４６が直線移動される方向における絞り用開口２の縁部分が形成される。
また、第１揺動絞り羽根４８の開口形成用縁部４６Ａおよび第２揺動絞り羽根５０の開口形成用縁部４８Ａにより、直進絞り羽根４６が直線移動される方向と直交する方向おける絞り用開口２の縁部分が形成される。
また、図１２乃至図１５に示すように、第１揺動絞り羽根用支軸６４（一対の第１揺動絞り羽根４８の揺動支点）は、光軸方向から見て一対の直進絞り羽根４６の移動軌跡の延長範囲内に位置している。
また、図１２乃至図１５に示すように、第２揺動絞り羽根用支軸６６（一対の第２揺動絞り羽根５０の揺動支点）は、光軸方向から見て一対の直進絞り羽根４６の移動軌跡の延長範囲内に位置している。
また、図１２乃至図１５に示すように、前記駆動機構は、光軸方向から見て一対の直進絞り羽根４６の移動軌跡の延長範囲内に位置している。
【００５２】
次に、絞り装置４０の動作について説明する。
まず、図１２に示すように、絞り用開口２が開放状態にある場合について説明する。
直進絞り羽根４６の直線状案内溝４６０２の長手方向の一端に直進絞り羽根用ガイドピン６２が位置している。
また、第１揺動絞り羽根４８のカム溝４８０４の長手方向の一端に第１揺動絞り羽根用駆動ピン５４Ｅが位置し、第２揺動絞り羽根５０のカム溝５００４の長手方向の一端に第２揺動絞り羽根用駆動ピン５４Ｆが位置している。
この状態で、絞り用開口２は、一対の直進絞り羽根４６の開口形成用縁部４４Ａと、一対の第１揺動絞り羽根４８の開口形成用縁部４６Ａと、一対の第２揺動絞り羽根５０の開口形成用縁部４８Ａとによって略円形の形状となるように形成されている。
また、本実施の形態では、この開放状態において絞り用開口２の直径と固定絞り７０の孔７０Ａの直径とが同一となっている。
【００５３】
ここで、絞り用モータ５６が正方向に回転駆動されることにより、環板５４が所定量回転されると、一対の直進絞り羽根４６のカム溝４４０４に係合する直進絞り羽根用駆動ピン５４Ｄが揺動する。
これにより、直進絞り羽根４６は、ガイド溝４４０２およびこのガイド溝４４０２に係合する直進絞り羽根用ガイドピン６２を介して所定量直線移動する。
この結果、図１３に示すように、対向する一対の直進絞り羽根４６の開口形成用縁部４６Ａの間隔、すなわち、絞り用開口２の直径が縮小される。
また、環板５４が所定量回転されると、第１揺動絞り羽根用駆動ピン５４Ｅが揺動することによりカム溝４６０４を介して一対の第１揺動絞り羽根４８は第１揺動絞り羽根用支軸６４を中心に所定量揺動する。
これにより、図１３に示すように、対向する一対の第１揺動絞り羽根４８の開口形成用縁部４８Ａの間隔、すなわち、絞り用開口２の直径が縮小される。
また、環板５４が所定量回転されると、第２揺動絞り羽根用駆動ピン５４Ｆが揺動することによりカム溝４８０４を介して一対の第２揺動絞り羽根５０は第２揺動絞り羽根用支軸６６を中心に所定量揺動する。
これにより、図１３に示すように、対向する一対の第２揺動絞り羽根５０の開口形成用縁部５０Ａの間隔、すなわち、絞り用開口２の直径が縮小される。
この際、一対の直進絞り羽根４６の開口形成用縁部４６Ａの間隔と、一対の第１揺動絞り羽根４８の開口形成用縁部４８Ａの間隔と、一対の第２揺動絞り羽根５０の開口形成用縁部５０Ａの間隔との３つの間隔は略同一寸法となる。
言い換えると、一対の直進絞り羽根４６で形成される絞り用開口２の直径と、一対の第１揺動絞り羽根４８で形成される絞り用開口２の直径と、一対の第２揺動絞り羽根５０で形成される絞り用開口２の直径とが等しくなるようにした。
この結果、一対の直進絞り羽根４６の開口形成用縁部４６Ａと、一対の第１揺動絞り羽根４８の開口形成用縁部４８Ａと、一対の第２揺動絞り羽根５０の開口形成用縁部５０Ａとによって形成される絞り用開口２が縮小される。
図１３の場合は、絞り用開口２が１段分絞られており、絞り用開口２の形状は、開口形成用縁部４６Ａ、４８Ａ、５０Ａによって略正六角形の形状となる。
なお、絞り用開口２が図１２の開放状態から図１３の１段絞られた状態に至る過程において、絞り用開口２の形状は略円形から略正六角形の形状に連続的に変化している。
【００５４】
図１３の状態から、さらに、絞り用モータ５６が正方向に回転駆動され、環板５４がさらに回転されると、上述と同様の動作により、一対の直進絞り羽根４６が直線移動する。これと共に、一対の第１揺動絞り羽根４８および一対の第２揺動絞り羽根５０が揺動する。
これにより、図１４に示すように、一対の直進絞り羽根４６の開口形成用縁部４６Ａと、一対の第１揺動絞り羽根４８の開口形成用縁部４８Ａと、一対の第２揺動絞り羽根５０の開口形成用縁部５０Ａとによって形成される絞り用開口２がさらに縮小される。
図１４の場合は、絞り用開口２が６段分絞られており、絞り用開口２の形状は、開口形成用縁部４６Ａ、４８Ａ、５０Ａによって略正六角形の形状となる。
【００５５】
図１４の状態から、さらに、絞り用モータ５６が正方向に回転駆動され、環板５４がさらに回転されると、上述と同様の動作により、一対の直進絞り羽根４６が直線移動する。これと共に、第１、第２揺動絞り羽根４８、５０が揺動する。
これにより、一対の直進絞り羽根４６の開口形成用縁部４６Ａと、一対の第１揺動絞り羽根４８の開口形成用縁部４８Ａと、一対の第２揺動絞り羽根５０の開口形成用縁部５０Ａとによって形成される絞り用開口２がさらに縮小される。やがて、図１５に示すように、絞り用開口２の全閉状態が形成される。
なお、この全閉状態において、一対の直進絞り羽根４６のガイド溝４４０２の長手方向の他端に直進絞り羽根用ガイドピン６２が位置している。
また、一対の第１揺動絞り羽根４８のカム溝４６０４の長手方向の他端に第１揺動絞り羽根用駆動ピン５４Ｅが位置し、一対の第２揺動絞り羽根５０のカム溝４８０４の長手方向の他端に第２揺動絞り羽根用駆動ピン５４Ｆが位置している。
【００５６】
図１５の全閉状態から、絞り用モータ５６が逆方向に回転駆動され、環板５４が上記とは逆方向に回転される。すると、一対の直進絞り羽根４６が上述と逆の方向に直線移動すると共に、一対の第１揺動絞り羽根４８および一対の第２揺動絞り羽根５０が上述と逆方向に揺動する。
これにより、一対の直進絞り羽根４６の開口形成用縁部４６Ａと、一対の第１揺動絞り羽根４８の開口形成用縁部４８Ａと、一対の第２揺動絞り羽根５０の開口形成用縁部５０Ａとによって絞り用開口２が形成される。
そして、図１４、図１３に示すように、絞り用開口２が形成され、絞り用モータ５６の逆方向への回転駆動により、絞り用開口２が次第に拡大され、やがて、図１２に示す絞り用開口２の開放状態が形成される。
なお、絞り用開口２が図１３の１段絞られた状態から図１２の開放状態に至る過程において、絞り用開口２の形状は略正六角形から略円形の形状に連続的に変化している。
【００５７】
したがって、絞り用モータ５６の回転方向および回転量を制御することにより、絞り装置４０の絞り用開口２が開放状態と全閉状態との間で調整される。
【００５８】
次に、スペーサ５２の機能について説明する。
図２５はスペーサ５２近傍箇所の拡大図であり、図２６は図２５からスペーサ５２を省いた拡大図である。
スペーサ５２は一対の第１揺動絞り羽根４８の揺動の円滑化を図るものである。
すなわち、図２６に示すように、２つの直進絞り羽根４６のうち一方の直進絞り羽根４６の直線状案内溝４６０２に対して２つの第１揺動絞り羽根４８のうち他方の第１揺動絞り羽根４８の縁部４８１０が臨んでいる。
そのため、縁部４８１０が直線状案内溝４６０２に近接する方向に揺動したときに、縁部４８１０と直線状案内溝４６０２の縁部とが干渉して第１揺動絞り羽根４８の円滑な揺動が阻害されるおそれがある。
【００５９】
そこで、本実施の形態では、図２５に示すように、スペーサ５２を一方の直線絞り羽根４６の直線状案内溝４６０２と他方の第１揺動絞り羽根４８の縁部４８１０との間に介在させる。言い換えると、直線絞り羽根４６と第１揺動絞り羽根４８とを、それらの厚さ方向においてスペーサ５２を用いて分離する。
これにより、縁部４８１０と直線状案内溝４６０２の縁部との干渉が防止され、２つの第１揺動絞り羽根４８のうち他方の第１揺動絞り羽根４８の揺動の円滑化が図られている。
なお、２つのスペーサ５２のうち他方のスペーサ５２は、２つの直線絞り羽根４６のうち他方の直線絞り羽根４６の直線状案内溝４６０２と２つの第１揺動絞り羽根４８のうち一方の第１揺動絞り羽根４８の縁部４８１０との間に介在されている。
これにより上述と同様に、２つの第１揺動絞り羽根４８のうち一方の第１揺動絞り羽根４８の揺動の円滑化が図られている。
【００６０】
図１６は絞り用開口２の開放状態における一方の第２揺動絞り羽根５０の位置を示す平面図である。
図１７は絞り用開口２の全閉状態における一方の第２揺動絞り羽根５０を示す平面図である。
図１８は絞り用開口２の開放状態における一方の直進絞り羽根４６、第１揺動絞り羽根４８、一方の第２揺動絞り羽根５０の位置を示す平面図である。
図１９は絞り用開口２の全閉状態における一方の直進絞り羽根４６、第１揺動絞り羽根４８、一方の第２揺動絞り羽根５０の位置を示す平面図である。
図２０は、仕切り板４４、一方の直進絞り羽根４６、第１揺動絞り羽根４８、一方の第２揺動絞り羽根５０の断面図である。
【００６１】
次に、仕切り板４４に形成された各レールの機能について詳細に説明する。
図２０に示すように、一対の第２揺動絞り羽根５０のうちの一方の第２絞り羽根５０、一対の第１揺動絞り羽根４８のうちの一方の第１揺動絞り羽根４８、一対の直進絞り羽根４６のうちの一方の直進絞り羽根４６がこの順番で仕切り板４４上に重ねられている。
また、図１８、図１９に示すように、一方の直進絞り羽根４６を案内する第１のレール４４１０は、一方の直進絞り羽根４６の移動軌跡内に配置され、一方の直進絞り羽根４６を案内するに足る高さで形成されている。
また、図１６、図１７に示すように、一方の第２揺動絞り羽根５０を案内する第２のレール４４１２は、一方の第２揺動絞り羽根５０の移動軌跡内に配置され、一方の第２揺動絞り羽根５０を案内するに足る高さで形成されている。この第２のレール４４１２は、第１のレール４４１０と異なる高さで形成されている。
また、図１６、図１７に示すように、第１、第２のレール４４１０、４４１２は、第１揺動絞り羽根４８の移動軌跡外に配置されている。
この結果、一方の直進絞り羽根４６は、第２のレール４４１２に接触することなく、第１のレール４４１０によって円滑に案内される。
また、一方の第２揺動絞り羽根５０は、第１のレール４４１０に接触することなく、第２のレール４４１２によって円滑に案内される。
また、第１揺動絞り羽根４８は、図２０に示すように、直進絞り羽根４６と第２絞り羽根５０との間に挟持された状態で、仕切り板４４に形成された複数のレールに接触することなく揺動される。
なお、本実施の形態では、一方の直進絞り羽根４６は、図１１に示す絞り用蓋体５８に形成された第８のレール５８１４によっても案内されるため、一方の直進絞り羽根４６の移動の円滑化がより一層図られている。
【００６２】
図１１に示すように、絞り用蓋体５８に形成された各レールの機能についても仕切り板４４に形成された各レールの機能と同様である。
図５に示すように一対の直進絞り羽根４６のうちの他方の直進絞り羽根４６、一対の第１揺動絞り羽根４８のうちの他方の第１揺動絞り羽根４８、一対の第２揺動絞り羽根５０のうちの他方の第２絞り羽根５０がこの順番で一対のスペーサ５２上に重ねられている。
また、他方の直進絞り羽根４６を案内する第６のレール５８１０は、他方の直進絞り羽根４６の移動軌跡内に配置され、他方の直進絞り羽根４６を案内するに足る高さで形成されている。
また、他方の第２揺動絞り羽根５０を案内する第７のレール５８１２は、他方の第２揺動絞り羽根５０の移動軌跡内に配置され、他方の第２揺動絞り羽根５０を案内するに足る高さで形成されている。この第７のレール５８１２は、第６のレール５８１０と異なる高さで形成されている。
また、第６、第７のレール５８１０、５８１２は、第１揺動絞り羽根４８の移動軌跡外に配置されている。
この結果、他方の直進絞り羽根４６は、第７のレール５８１２に接触することなく、第６のレール５８１０に円滑に案内される。
また、他方の第２揺動絞り羽根５０は、第６のレール５８１０に接触することなく、第７のレール５８１２に円滑に案内される。
また、第１揺動絞り羽根４８は、直進絞り羽根４６と第２絞り羽根５０との間に挟持された状態で、仕切り板４４に形成された複数のレールに接触することなく揺動される。
したがって、他方の直進絞り羽根４６および他方の第２絞り羽根５０は、第６、第７のレール５８１０、５８１２によって円滑に案内されるため、移動の安定化が図られている。
なお、他方の直進絞り羽根４６、他方の第１揺動絞り羽根４８、他方の第２絞り羽根５０についても、仕切り板４４によって環板５４と隔てられ環板５４に接触しないため、摩擦負荷が軽減されることは無論である。
また、本実施の形態では、他方の直進絞り羽根４６は、図１０に示す仕切り板４４に形成された第３のレール４４１４によっても案内されるため、他方の直進絞り羽根４６の移動の円滑化がより一層図られている。
【００６３】
このような絞り装置４０によれば、図３２、図３５に示すように、絞り用蓋体５８に凹部５８５０が設けられているので、凹部５８５０に他の光学装置、またはその一部、光学部材、またはその一部を収容して配置することで光軸Ｌ方向におけるレンズ鏡筒の寸法を短縮化することができる。したがって、撮像装置の小型化を図る上で有利となる。
あるいは凹部５８５０に他の光学装置やその一部などを収容することで、それら装置の寸法を短縮化することができ、レンズ鏡筒の長さを大型化することなく、ズームレンズあるいはフォーカスレンズなどの可動レンズのストロークを大きく確保することができる。
したがって、ズーム率を大きく確保でき、あるいは、焦点調整範囲を大きく確保でき、レンズ鏡筒の光学的性能の向上を図る上で有利となる。
また、レンズ鏡筒の長さを大型化することなく可動レンズのストロークを大きく確保できるので、可動レンズとして屈折率が比較的小さく厚みの大きな安価なレンズを使用でき、撮像装置のコストダウンを図る上で有利となる。
【００６４】
次に、絞り用蓋体５８の凹部５８５０に、ＮＤフィルタ装置４１の一部を収容し、それら絞り装置４０およびＮＤフィルタ装置４１の光軸Ｌ方向に沿った寸法を短縮した具体例について説明する。
図２７は光量調整装置３９の分解斜視図、図２８は光量調整装置３９を前方から見た斜視図である。
図２９はＮＤフィルタ装置４１の分解斜視図、図３０はＮＤフィルタ７２が取着されたフィルタ用支持体７４の斜視図である。
図３１は絞り用蓋体５８を取り外した絞り装置４０を後方から見た斜視図、図３２は絞り用蓋体５８を取着した絞り装置４０を後方から見た斜視図である。
図３３はフィルタ用蓋体８２を絞り装置４０に取着した斜視図、図３４は図３３にフィルタ用蓋体８２とフィルタ用支持体７４を取着した斜視図である。
図３５はＮＤフィルタ７２の退避位置を示す図３４のＡＡ線断面図、図３６はＮＤフィルタ７２の使用位置を示す図３５のＡＡ線断面図である。
図３７はＮＤフィルタ７２の退避位置を示す光量調整装置３９の断面図である。
【００６５】
図２７、図２９に示すように、ＮＤフィルタ装置４１は、ＮＤフィルタ７２と、フィルタ用支持体７４と、フィルタ用駆動機構７６と、ケース７８とを含んで構成されている。
ケース７８は、フィルタ用ベース部材８０と、フィルタ用蓋体８２とを含んで構成されている。
ＮＤフィルタ装置４１は、図３５、図３６、図３７に示すように、絞り用蓋体５８に重ね合わせるように配置されている。
【００６６】
ＮＤフィルタ７２は、入射光の波長成分を変えることなく透過光量を減少させるフィルタであり、図３５、図３６に示すように、光軸方向Ｌから見て絞り用開口２内に位置する使用位置と絞り用開口２外に位置する退避位置との間で移動される。
【００６７】
図３０、図３４に示すように、フィルタ用支持体７４は、ＮＤフィルタ７２を支持するものである。
フィルタ用支持体７４は、光を透過しない合成樹脂製の平坦な薄板で形成されている。
フィルタ用支持体７４は、左右両側にフィルタ用ベース部材８０（図２９）により上下に移動可能に案内される長溝からなる案内部７４０２を有している。
また、フィルタ用支持体７４は、光路形成用の切り欠き７４０４を有している。ＮＤフィルタ７２はその縁部が切り欠き７４０４の周囲の縁部に重ね合わされて接着剤により取着されている。これによりＮＤフィルタ７２が切り欠き７４０４を覆うようにフィルタ用支持体７４に設けられている。
また、フィルタ用支持体７４の下部に、フィルタ用支持体７４を上下に直線移動させるためのカム溝７４０６が形成されている。
したがって、フィルタ用支持体７４をその厚さ方向から見た場合に、図２９に示すように、ＮＤフィルタ７２はフィルタ用支持体７４からフィルタ用蓋体８２側に突出している。
【００６８】
フィルタ用ベース部材８０は、図２９に示すように、合成樹脂製で板状に設けられている。
フィルタ用ベース部材８０には、光路用開口８００２が形成されている。
光路用開口８００２の下方で絞り装置４０と反対に位置するフィルタ用ベース部材８０の箇所にフィルタ用モータ８４が取着されている。
フィルタ用モータ８４はモータ駆動部４３（図３）から供給される駆動電流に基づいて駆動ギア５６Ｃが正方向あるいは逆方向に回転駆動されるものである。
フィルタ用モータ８４は、該フィルタ用モータ８４の出力軸に連結されたアーム８４０２を備え、アーム８４０２の先端のピン８４０４がフィルタ用支持体７４のカム溝７４０６に係合される。
そして、フィルタ用モータ８４の正逆転でアーム８４０２によりフィルタ用支持体７４を上下に移動させ、ＮＤフィルタ７２を絞り用開口２に出没させる。
光路用開口８００２の左右両側でフィルタ用支持体７４に対向するフィルタ用ベース部材８０の箇所に、フィルタ用支持体７４の案内部７４０２の長溝に係合しフィルタ用支持体７４を上下に直線移動可能に案内するガイドピン８００４が突設されている。
本実施の形態では、フィルタ用駆動機構７６は、フィルタ用モータ８４、アーム８４０２、ピン８４０４、カム溝７４０６、ガイドピン８００４、案内部７４０２を含んで構成されている。
【００６９】
フィルタ用蓋体８２は、図２９、図３７に示すように、フィルタ用支持体７４を覆うようにフィルタ用ベース部材８０に取着されている。
フィルタ用蓋体８２は合成樹脂製の薄板で形成されている。
フィルタ用蓋体８２には、光路用開口８２０２が形成され、光路用開口８２０２の左右両側の箇所には、ガイドピン８００４が嵌合される嵌合孔８２０４が形成されている。
また、フィルタ用蓋体８２にはピン８４０４の揺動を確保するための長溝８２０６が形成されている。
フィルタ用蓋体８２は、絞り用蓋体５８に重ね合わせて配置される。
フィルタ用蓋体８２には、絞り用蓋体５８側に突出し退避位置でＮＤフィルタ７２が収容される凸部８２１０が形成されている。
凸部８２１０は、図３３に斜線で示すように、光軸Ｌから離れる方向における光路形成用開口８２０２の端部８２０２Ａを含んで構成されている。
【００７０】
ＮＤフィルタ装置４１は、図３７に示すように、凸部８２１０が凹部５８５０に収容されて絞り装置４０の絞り用ベース部材４２に取着されている。
【００７１】
次に、ＮＤフィルタ装置４１を含む光量調整装置３９の動作について説明する。
まず、図３５、図３７に示すように、ＮＤフィルタ７２が退避位置にある場合について説明する。
すなわち、ＮＤフィルタ７２は、光軸方向Ｌから見て絞り用開口２外に位置している。
ここで、前述したように絞り用モータ５６の回転方向および回転量を制御することにより、絞り装置４０の絞り用開口２が開放状態と全閉状態との間で調整され、絞り装置４０で形成される絞り用開口２によって絞られた光束が撮像素子１８に至る。
【００７２】
絞り装置４０の絞り用開口２を小さくするほど、絞り装置４０を通過する被写体像を形成する光束の光量を減少させることができるが、絞り用開口２が小さくなりすぎると、絞り用開口２で回折光が発生し、撮像素子１８で撮像される画像の品質に悪影響を及ぼす。
そのため、絞り装置４０による絞り用開口２の下限（最小絞り）は、回折の影響が生じない程度に留める必要があり、光量をさらに減少させる場合には、ＮＤフィルタ７２を用いる。
【００７３】
ＮＤフィルタ７２を使用する際には、フィルタ用モータ８４が正方向に一定量回転駆動されることにより、アーム８４０２が一定量揺動すると、アーム８４０２のピン８４０４を介してフィルタ用支持体７４が所定量直線移動する。
この結果、図３６に示すように、ＮＤフィルタ７２は光軸方向Ｌから見て絞り用開口２内に位置する。すなわち、ＮＤフィルタ７２は使用位置に位置した状態となる。
ＮＤフィルタ７２は、光軸Ｌ方向から見てこの使用位置で光路用開口８２０２の半径方向の内側に位置し、かつ、光軸Ｌと直交する方向から見てフィルタ用蓋体８２の厚さの範囲と重複する箇所に位置している。
ＮＤフィルタ７２が使用位置に位置することにより、絞り装置４０の絞り用開口２によって絞られた光束はＮＤフィルタ７２を通過することでさらに光量が減少され、撮像素子１８に至る。したがって、撮像素子１８は回折の影響を受けることなく撮像を行うことができる。
また、フィルタ用モータ８４が逆方向に一定量回転駆動されることにより、図３５、図３７に示すように、ＮＤフィルタ７２は退避位置に戻る。
【００７４】
以上説明したように、本例によれば、絞り用蓋体５８に設けられた凹部５８５０にフィルタ用蓋体８２の凸部８２１０を収容し、この凸部８２１０に退避位置に位置するＮＤフィルタ７２を収容したので、光軸Ｌ方向における光量調整装置３９の寸法を短縮化できる。したがって、レンズ鏡筒の寸法を短縮化することができ、撮像装置の小型化を図る上で有利となる。
あるいは、光軸Ｌ方向における光量調整装置３９の寸法を短縮化することにより、前述したように可動レンズのストロークを確保できレンズ鏡筒の光学的性能の向上を図る上で有利となる。また、可動レンズとして屈折率が比較的小さく厚みの大きな安価なレンズを使用でき、撮像装置のコストダウンを図る上で有利となる。
【００７５】
次に、図３９乃至図４１を参照して本実施の形態と比較例とを比較する。
図３９は比較例１の絞り装置４０Ａの断面図である。
図４０は比較例２の絞り装置４０Ｂの断面図、図４１は比較例２の絞り羽根の平面図である。
なお、比較例１、２において本実施の形態と同様の箇所、部材に同一の符号を付して説明する。
比較例１は絞り用蓋体５８に凹部５８５０を形成しない絞り装置４０Ａであり、絞り羽根の構成は本実施の形態と同一である。
絞り装置４０Ａでは、絞り用蓋体５８が凹部５８５０を有しておらず、平坦な板状に形成されている。
これに対応してＮＤフィルタ装置４１のフィルタ用蓋体８２も平坦な板状に形成されている。
本実施の形態では、図３７に示すように、ＮＤフィルタ７２の退避位置において、ＮＤフィルタ７２とのフィルタ用蓋体８２との間に隙間Ｓが確保されている。この隙間Ｓは、ＮＤフィルタ７２のフィルタ用蓋体８２との接触を防止するためのものである。
一方、絞り装置４０Ａでは、図３９に示すように、ＮＤフィルタ７２とフィルタ用蓋体８２の全域との間に隙間Ｓが確保されている。
したがって、図３７の上半部および図３９の上半部においては、絞り用ベース部材４２の前面４２Ａからフィルタ用蓋体８２の前面８２Ａまでの距離Ｄ１は等しい。
しかしながら、本実施の形態では比較例１に比較して、前面４２ＡからＮＤフィルタ７２の前面までの距離Ｄ２は凹部５８５０の深さ分小さい寸法となる。
また、本実施の形態では比較例１に比較して、前面４２Ａからフィルタ用ベース部材８０の後面までの距離Ｄ３も凹部５８５０の深さ分小さい寸法となる。
したがって、本実施の形態によれば、比較例１に比較して光量調整装置３９の光軸方向に沿った寸法を短縮化することができる。
【００７６】
次に本実施の形態と比較例２とを比較する。
比較例２の絞り装置４０Ｂでは、図４１に示す虹彩絞りを用いる。
虹彩絞りは、光軸を中心とする円周上で互いに重ね合わされた複数の絞り羽根９０を光軸と平行する軸９２回りに揺動させることによって絞り用開口２を拡縮するものである。
図４０に示すように、絞り装置４０Ｂは、複数の絞り羽根９２が互いに重なり合った状態で揺動するためのスペースを光軸Ｌを中心とした円周上に沿って確保する必要がある。
このような構造上、絞り用蓋体５８に凹部５８５０を形成することは不可能である。
したがって、比較例２では、比較例１と同様に本実施の形態に比べて光量調整装置３９の光軸Ｌ方向に沿った寸法を短縮化する上で不利がある。
【００７７】
（第２の実施の形態）
次に第２の実施の形態について説明する。
図３８は第２の実施の形態における光量調整装置３９の断面図である。
第２の実施の形態は、図３８に示すように、フィルタ用蓋体８２と絞り用蓋体５８とを単一の部材により構成した点が第１の実施の形態と異なっている。
フィルタ用蓋体８２を、絞り装置４０の絞り用蓋体５８として考えると、フィルタ用蓋体８２には凹部５８５０が形成されていることになる。
また、フィルタ用蓋体８２を、ＮＤフィルタ装置４１のフィルタ用蓋体８２として考えると、フィルタ用蓋体８２には凸部８２１０が形成されていることになる。
このような第２の実施の形態によれば、フィルタ用蓋体８２と絞り用蓋体５８とを単一の部材により構成されているので、一方の蓋体の厚さ分、光量調整装置３９の光軸方向に沿った寸法を短縮化する上でさらに有利となる。
【００７８】
なお、本実施の形態では、絞り装置４０が一対の直進絞り羽根４６と、一対の第１揺動絞り羽根４８と、一対の第２揺動絞り羽根５０との合計６枚の絞り羽根を有する場合について説明したが、絞り装置４０は一対の直進絞り羽根と一対の揺動絞り羽根で構成されていてもよく、その場合、一対の揺動絞り羽根は複数組設けられていてもよく、要するに絞り羽根の合計枚数は４枚であってもあるいは８枚以上であってもよい。
また、本実施の形態では、撮像装置がビデオカメラである場合について説明したが、本発明は、デジタルスチルカメラやカメラ付き携帯電話機、監視カメラ装置などの撮像装置に広く適用可能である。
また、本実施の形態では、絞り装置が撮像装置に適用される場合について説明したが、本発明はこれに限定されるものではなく、例えば、本発明に係る絞り装置をプロジェクター装置における光源の絞り装置として用いるなど任意である。
【図面の簡単な説明】
【００７９】
【図１】本実施の形態の撮像装置１０の斜視図である。
【図２】撮像装置１０のディスプレイパネル２２が開放位置に位置した状態の斜視図である。
【図３】撮像装置１０の制御系の構成を示すブロック図である。
【図４】前方から見た絞り装置４０の分解斜視図である。
【図５】後方から見た絞り装置４０の分解斜視図である。
【図６】絞り用ベース部材４２に対する絞り用モータ５６の組み立て説明図である。
【図７】絞り用ベース部材４２に絞り用モータ５６と環板５４とが組み込まれた状態を示す平面図である。
【図８】絞り用ベース部材４２に対する環板５４と固定絞り７０と仕切り板４４の組み立て説明図である。
【図９】仕切り板４４、絞り用蓋体５８、各絞り羽根４６、４８、５０およびスペーサ５２を示す分解斜視図である。
【図１０】仕切り板４４を後方から見た斜視図である。
【図１１】絞り用蓋体５８を前方から見た斜視図である。
【図１２】絞り用開口２が開放状態にある絞り装置４０を後方から見た平面図である。
【図１３】絞り用開口２を１段絞った状態の絞り装置４０を後方から見た平面図である。
【図１４】絞り用開口２を６段絞った状態の絞り装置４０を後方から見た平面図である。
【図１５】絞り用開口２が全閉状態にある絞り装置４０を後方から見た平面図である。
【図１６】絞り用開口２の開放状態における一方の第２揺動絞り羽根５０の位置を示す平面図である。
【図１７】絞り用開口２の全閉状態における一方の第２揺動絞り羽根５０を示す平面図である。
【図１８】絞り用開口２の開放状態における一方の直進絞り羽根４６、第１揺動絞り羽根４８、一方の第２揺動絞り羽根５０の位置を示す平面図である。
【図１９】絞り用開口２の全閉状態における一方の直進絞り羽根４６、第１揺動絞り羽根４８、一方の第２揺動絞り羽根５０の位置を示す平面図である。
【図２０】仕切り板４４、一方の直進絞り羽根４６、第１揺動絞り羽根４８、一方の第２揺動絞り羽根５０の断面図である。
【図２１】直進絞り羽根４６の平面図である。
【図２２】第１揺動絞り羽根４８の平面図である。
【図２３】第２揺動絞り羽根５０の平面図である。
【図２４】スペーサ５２の平面図である。
【図２５】スペーサ５２近傍箇所の拡大図である。
【図２６】図２５からスペーサ５２を省いた拡大図である。
【図２７】光量調整装置３９の分解斜視図である。
【図２８】光量調整装置３９を前方から見た斜視図である。
【図２９】ＮＤフィルタ装置４１の分解斜視図である。
【図３０】ＮＤフィルタ７２が取着されたフィルタ用支持体７４の斜視図である。
【図３１】絞り用蓋体５８を取り外した絞り装置４０を後方から見た斜視図である。
【図３２】絞り用蓋体５８を取着した絞り装置４０を後方から見た斜視図である。
【図３３】フィルタ用蓋体８２を絞り装置４０に取着した斜視図である。
【図３４】図３３にフィルタ用蓋体８２とフィルタ用支持体７４を取着した斜視図である。
【図３５】ＮＤフィルタ７２の退避位置を示す図３４のＡＡ線断面図である。
【図３６】ＮＤフィルタ７２の使用位置を示す図３５のＡＡ線断面図である。
【図３７】ＮＤフィルタ７２の退避位置を示す光量調整装置３９の断面図である。
【図３８】第２の実施の形態における光量調整装置３９の断面図である。
【図３９】比較例１の絞り装置４０Ａの断面図である。
【図４０】比較例２の絞り装置４０Ｂの断面図である。
【図４１】比較例２の絞り羽根の平面図である。
【符号の説明】
【００８０】
Ｌ……光軸、２……絞り用開口、１０……撮像装置、１６……レンズ鏡筒、３９……光量調整装置、４０……絞り装置、４１……ＮＤフィルタ装置、４２……絞り用ベース部材、４６……直進絞り羽根、４８……第１揺動絞り羽根、５０……第２揺動絞り羽根、５８……絞り用蓋体、５８５０……凹部、６０……収容部、７２……ＮＤフィルタ、７８……ケース、８２１０……凸部。
【図１】
2010145706.tif 000003
【図２】
2010145706.tif 000004
【図３】
2010145706.tif 000005
【図４】
2010145706.tif 000006
【図５】
2010145706.tif 000007
【図６】
2010145706.tif 000008
【図７】
2010145706.tif 000009
【図８】
2010145706.tif 000010
【図９】
2010145706.tif 000011
【図１０】
2010145706.tif 000012
【図１１】
2010145706.tif 000013
【図１２】
2010145706.tif 000014
【図１３】
2010145706.tif 000015
【図１４】
2010145706.tif 000016
【図１５】
2010145706.tif 000017
【図１６】
2010145706.tif 000018
【図１７】
2010145706.tif 000019
【図１８】
2010145706.tif 000020
【図１９】
2010145706.tif 000021
【図２０】
2010145706.tif 000022
【図２１】
2010145706.tif 000023
【図２２】
2010145706.tif 000024
【図２３】
2010145706.tif 000025
【図２４】
2010145706.tif 000026
【図２５】
2010145706.tif 000027
【図２６】
2010145706.tif 000028
【図２７】
2010145706.tif 000029
【図２８】
2010145706.tif 000030
【図２９】
2010145706.tif 000031
【図３０】
2010145706.tif 000032
【図３１】
2010145706.tif 000033
【図３２】
2010145706.tif 000034
【図３３】
2010145706.tif 000035
【図３４】
2010145706.tif 000036
【図３５】
2010145706.tif 000037
【図３６】
2010145706.tif 000038
【図３７】
2010145706.tif 000039
【図３８】
2010145706.tif 000040
【図３９】
2010145706.tif 000041
【図４０】
2010145706.tif 000042
【図４１】
2010145706.tif 000043